(57)【特許請求の範囲】
【請求項１】
前面に名札差しを備える棚板本体の前端部に、前方に突出する補助棚板を着脱可能に取り付けた商品陳列装置において、
前記棚板本体における左右の側面板の前端を、前記名札差しの前面と整合するか、またはそれより前方に突出するように位置させ、前記補助棚板を棚板本体の前端部に装着したとき、前記棚板本体における左右の側面板の前縁に、補助棚板における左右の側面板の後縁が当接して、補助棚板の前下がりを阻止するようにしたことを特徴とする商品陳列装置。
【請求項２】
棚板本体における左右の側面板の板厚を、棚板本体における他の部分の板厚より大とした請求項１記載の商品陳列装置。
【請求項３】
補助棚板における左右の側面板の板厚を、補助棚板における他の部分の板厚より大とした請求項１または２記載の商品陳列装置。
【請求項４】
棚板本体の側面板の前縁と、補助棚板の側面板の後縁とを、同一の後傾角度をもって傾斜する傾斜面とした請求項１〜３のいずれかに記載の商品陳列装置。
【請求項５】
棚板本体と名札差しとの間に、上方に開口する左右方向の係合溝を形成し、補助棚板に、前記係合溝に嵌合することにより、補助棚板の前方への移動を阻止する下向きの差込片を設けるとともに、名札差しの前下端部に係合することにより、前記補助棚板の上方への移動を阻止するようにした、前方に弾性変形可能な係合部材を設けた請求項１〜４のいずれかに記載の商品陳列装置。
【請求項６】
補助棚板における左右方向の中間部に係合部材を設け、かつ両側部に差込片を設けた請求項５記載の商品陳列装置。
【請求項７】
棚板本体における上面板に設けた係合孔に、補助棚板における上面板の後端より、名札差しの上方を通って、棚板本体の上面板上に至る延長片の後端に設けた下向き鉤形の係合片を係合した請求項１〜６のいずれかに記載の商品陳列装置。
【請求項８】
補助棚板における上面板の前縁を、中央部が前方に突出する平面視円弧状のものとし、前記上面板の前縁部下面に、前面が上面板の前縁と同形の平面視円弧状をなし、かつ断面後向コ字状とした補強材を固着した請求項１〜７のいずれかに記載の商品陳列装置。
【発明の詳細な説明】
【技術分野】
【０００１】
本発明は、棚板の前端部に、補助棚板を前方に突出させて着脱可能に取り付けた商品陳列装置に関する。
【背景技術】
【０００２】
従来のこの種の商品陳列装置には、補助棚板の後端面を、棚板本体の前端面に当接させて、それらを固定ねじをもって締着固定したもの(例えば特許文献１または２参照)や、棚板本体の上面に設けた仕切板取付孔を利用して、それに、補助棚板の後端に設けた取付用爪を係止するようにしたもの(例えば特許文献３参照)等がある。
【特許文献１】特開２００６−２２３６９５号公報
【特許文献２】特開２０００−３２５１９０号公報
【特許文献３】実用新案登録第３０８３１９５号公報
【発明の開示】
【発明が解決しようとする課題】
【０００３】
しかし、特許文献１および２に記載されているものにおいては、補助棚板上に重量物を載置したとき、その荷重により、補助棚板が棚板本体との固定部に対して、前下がりに傾斜するおそれがある。
【０００４】
また、特許文献３に記載されているものにおいても、補助棚板上に重量物を載置したとき、補助棚板における上面板と後方延長部とのつなぎの部分が屈曲して、補助棚板が前下がりに傾斜するおそれがある。
【０００５】
本発明は、従来の技術が有する上記のような問題点に鑑み、棚板本体の前端部に、補助棚板を、常に水平状態を保って強固に支持することができ、しかも、必要に応じて、補助棚板を容易に着脱できるようにした商品陳列装置を提供することを目的としている。
【課題を解決するための手段】
【０００６】
本発明によると、上記課題は次のようにして解決される。
(１)  前面に名札差しを備える棚板本体の前端部に、前方に突出する補助棚板を着脱可能に取り付けた商品陳列装置において、前記棚板本体における左右の側面板の前端を、前記名札差しの前面と整合するか、またはそれより前方に突出するように位置させ、前記補助棚板を棚板本体の前端部に装着したとき、前記棚板本体における左右の側面板の前縁に、補助棚板における左右の側面板の後縁が当接して、補助棚板の前下がりを阻止するようにする。
【０００７】
(２)  上記(１)項において、棚板本体における左右の側面板の板厚を、棚板本体における他の部分の板厚より大とする。
【０００８】
(３)  上記(１)または(２)項において、補助棚板における左右の側面板の板厚を、補助棚板における他の部分の板厚より大とする。
【０００９】
(４)  上記(１)〜(３)項のいずれかにおいて、棚板本体の側面板の前縁と、補助棚板の側面板の後縁とを、同一の後傾角度をもって傾斜する傾斜面とする。
【００１０】
(５)  上記(１)〜(４)項のいずれかにおいて、棚板本体と名札差しとの間に、上方に開口する左右方向の係合溝を形成し、補助棚板に、前記係合溝に嵌合することにより、補助棚板の前方への移動を阻止する下向きの差込片を設けるとともに、名札差しの前下端部に係合することにより、前記補助棚板の上方への移動を阻止するようにした、前方に弾性変形可能な係合部材を設ける。
【００１１】
(６)  上記(５)項において、補助棚板における左右方向の中間部に係合部材を設け、かつ両側部に差込片を設ける。
【００１２】
(７)  上記(１)〜(６)項のいずれかにおいて、棚板本体における上面板に設けた係合孔に、補助棚板における上面板の後端より、名札差しの上方を通って、棚板本体の上面板上に至る延長片の後端に設けた下向き鉤形の係合片を係合する。
【００１３】
(８)  上記(１)〜(７)項のいずれかにおいて、補助棚板における上面板の前縁を、中央部が前方に突出する平面視円弧状のものとし、前記上面板の前縁部下面に、前面が上面板の前縁と同形の平面視円弧状をなし、かつ断面後向コ字状とした補強材を固着する。
【発明の効果】
【００１４】
本発明によると、次のような効果を奏することができる。
請求項１記載の発明によると、左右の側面板の前端を、名札差しの前面と整合するか、またはそれより前方に突出するように位置させ、補助棚板を棚板本体の前端部に装着したとき、棚板本体における左右の側面板の前縁に、補助棚板における左右の側面板の後縁が当接して、補助棚板の前下がりを阻止するようにしてあるので、補助棚板上に重量物を載置したときでも、補助棚板の両側部が強固に支持され、補助棚板の前下がりを確実に防止することができる。
【００１５】
請求項２記載の発明によると、棚板本体における左右の側面板の板厚を、棚板本体における他の部分の板厚より大としてあるので、棚板本体の両側部の強度を高めることができるとともに、補助棚板の側面板の後縁を、安定して受支することができる。
【００１６】
請求項３記載の発明によると、補助棚板における左右の側面板の板厚を、補助棚板における他の部分の板厚より大としてあるので、補助棚板の両側部の強度を高めることができるとともに、棚板本体の側面板と補助棚板の側面板との突き当て部分の当接面積を大として、補助棚板の支持強度を高めることができる。
【００１７】
請求項４記載の発明によると、棚板本体の側面板の前端面と、補助棚板の側面板の後端面とを、同一の後傾角度をもって傾斜する傾斜面としてあるので、補助棚板およびその上に載置した商品等の荷重を安定して受支することができる。
【００１８】
請求項５記載の発明によると、補助棚板の差込片を、棚板本体と名札差しとの間に形成した係合溝に上方から嵌合することにより、補助棚板の前方の移動が阻止され、また、補助棚板の係合部材を、名札差しの前下端部に係合させることにより、補助棚板の上方への移動が阻止され、補助棚板は、前後方向および上下方向に妄りに移動することはなくなる。
【００１９】
請求項６記載の発明によると、補助棚板における左右方向の中間部に係合部材を設け、かつ両側部に差込片を設けてあるので、係合部材と差込片とのバランスがよく、補助棚板の着脱作業が容易となる。
【００２０】
請求項７記載の発明によると、棚板本体における上面板に設けた係合孔に、補助棚板における上面板の後端より、名札差しの上方を通って、棚板本体の上面板上に至る延長片の後端に設けた下向き鉤形の係合片を係合してあるので、補助棚板を、後下がり傾斜状態として、係合片を係合孔に係合させた後、補助棚板の前部を下向きに回動させることにより、補助棚板を、固定ねじ等の締付手段を用いることなく、棚板本体に、簡単かつ確実に取付けることができ、また補助棚板を、棚板本体から簡単に取り外すこともできる。
【００２１】
請求項８記載の発明によると、補助棚板の前縁を、平面視円弧状としてあるため、美麗な外観を呈するものとなり、かつ平面視円弧状とした上面板の前縁の下面に、前面を上面板の前縁と同形とした補強材を固着してあるので、体裁を保ちつつ、補助棚板の前縁の強度を高めることができる。
【発明を実施するための最良の形態】
【００２２】
以下、本発明の実施形態を、図面に基づいて説明する。
図１に示すように、商品陳列装置は、上下両端部の対向面同士を、横連結杆１、１により連結して、左右方向に列設した複数の支柱２、２と、各支柱２の下端部の前面に取付けられた前方を向くベース脚３と、左右に隣接するベース脚３、３上に架設された複数のベース棚板４と、上下の横連結杆１、１と、隣接する左右の支柱２、２とにより囲まれた空間内に嵌合した背面板５とを備えている。
【００２３】
各支柱２の前面には、多数の係合孔６が、左右２列として、上下方向に並べて設けられており、図３に示すように左右の任意所望の係合孔６、６に、それぞれ棚板支持用のブラケット７の後端部に設けたフック８を係止し、かつ左右のブラケット７、７に、棚板９の両側部を係止することにより、左右に並ぶ３枚の棚板９が、等高として支柱２に支持されている。
【００２４】
図１に示す例においては、左右に並ぶ３枚の棚板９のうち、中央のものの前端に、前方に突出する補助棚板１０が、着脱自在に取り付けられている。
【００２５】
棚板９は、図２、図３に明示するように、水平の上面板１１と、上面板１１の前端より下方に向かって直角に折曲形成された前片１２と、前片１２の下端より後方に向かう上向き折り返し片１３と、上面板１１の両端部下面に、上端に設けた内向折曲片１４ａを固着した左右１対の側面板１４、１４とを有している。
【００２６】
上面板１１の前部と後部には、上面板１１上に載置される商品を仕切る仕切板(図示略)を取付けるための多数の係合孔１５、１５が、左右方向に並べて、それぞれ前後２列として設けられている。
【００２７】
図４に示すように、側面板１４の板厚Ｔは、棚板９における他の部分、例えば上面板１１の板厚ｔより大としてある。図３、図５に示すように、側面板１４の前端部は、前片１２より前方に突出し、その前縁１４ｂは、後上方へ向かって傾斜している。
【００２８】
前片１２の前面には、商品名や価格等を表示したプライスカード等を取り付けるための名札差し１６が取り付けられている。
【００２９】
名札差し１６は、棚板９の前片１２の前面に固着された垂直の基片１７と、
基片１７の上端に連設された前向突出段部１８と、前向突出段部１８の上端より前方に倒立Ｕ字状に折り返された折り返し部１９と、基片１７の下端より斜め前下方へ突出する傾斜片２０と、傾斜片２０の前端において上方に折り曲げられた起立片２１とからなり、折り返し部１９と起立片２１の対向部内に、プライスカード等(図示略)の上下部を係合させて、プライスカード等を若干後傾状態で保持しうるようになっている。
【００３０】
名札差し１６の前縁は、側面板１４の前縁１４ｂより若干後方に位置している。
【００３１】
棚板９の前片１２と名札差し１６の前向突出段部１８との間には、上方に開口する狭幅の係合溝２２が、左右方向に形成されている。
この係合溝２２は、プライスカード(図示略)や、商品の落下防止板(図示略)等を嵌合するためのものであるが、本発明においては、この係合溝２２を、補助棚板１０の取り付けに利用している。
【００３２】
補助棚板１０は、前縁が前方に突出する平面視円弧状の上面板２３と、上面板２３の前縁下面に固着された、平面視円弧状をなし、かつ側断面が後向コ字状をなす補強材２４と、上面板２３の両端部下面に、上端に設けた内向折曲片２５ａが固着された左右１杆の側面板２５とを有している。補強材２４の前面には、上下の端部を前方に対向折曲した名札差し２６が固着されている。
【００３３】
なお、側面板２５の板厚は、補助棚板１０における他の部分の板厚よりも大としてある。側面板２５の後縁２５ｂは、棚板９の側面板１４の前縁１４ｂと、同一の後傾角度を有する傾斜面としてある。
これにより、補助棚板１０を棚板９に装着したとき、棚板９の両側面板１４の前縁１４ｂに、補助棚板１０の両側面板２５の後縁２５ｂが当接して、補助棚板１０の前下がりが阻止される。
【００３４】
補助棚板１０における上面板２３の後端両側部には、補助棚板１０と名札差し１６との間に形成された係合溝２２に上方から嵌入しうる下向きの差し込み片２７、２７が設けられている。左右の差み込み片２７、２７間における上面板２３の中間部下面には、係合部材２８が固着されている。
【００３５】
係合部材２８は、上面板２３の下面に溶接により固着された取付片２８ａと、この取付片２８ａの後縁より垂下する前後方向に弾性撓曲可能な垂下片２８ｂと、その下端に連設された後方を向く係合片２８ｃとからなっており、係合片２８ｃが棚板９の前端における名札差し１６の前端下面に係合することにより、補助棚板１０の上方への移動を阻止するようなっている。
【００３６】
補助棚板１０の上面板２３の後縁には、棚板９へ装着した際に、名札差し１６の上方を通って、棚板９の上面板１１上に至る水平の延長片２９が連設されており、延長片２９の後端には、棚板９の上面におけるいずれかの係合孔１５に係合しうる側面視後向Ｌ字状の多数の係合片３０が、左右方向に並べて設けられている。
【００３７】
次に、棚板９の前端部に補助棚板１０を装着する要領について説明する。
まず、図５に示すように、補助棚板１０を、後下方に向けて、その後端の係合片３０を、棚板９の係合孔１５に嵌入し、次いで、補助棚板１０の前部を下向き回動させつつ、補助棚板１０の差し込み片２７を、係合溝２２に挿入し、さらに、補助棚板１０の係合部材２８における垂下片２８ｂの下部を弾性撓曲させつつ、係合片２８ｃを、名札差し１６の前端下面に係合させ、かつ棚板９の両側面板１４の前縁１４ｂに、補助棚板１０の両側面板２５の後縁２５ｂを当接させる。すると、補助棚板１０の上下方向および前後方向への移動と前下方への回動が阻止され、補助棚板１０の棚板９に対する装着が完了する。
【００３８】
このようにして棚板９に取り付けられた補助棚板１０を取り外すには、係合部材２８における垂下片２８ｂの下部を前方に弾性撓曲させて、その係合片２８ｃを、名札差し１６の前端下面から前方に離脱させた後、補助棚板１０の前部を、後端の係合片３０を中心として上向きに回動させて、差し込み片２７を、係合溝２２から離脱し、次いで補助棚板１０を前上方に移動させて、係合片３０を棚板９の係合孔１５から抜き出せばよい。
【００３９】
本発明は、上記実施形態のみに限定されるものではなく、幾多の変形した態様による実施が可能である。
【図面の簡単な説明】
【００４０】
【図１】本発明の一実施形態である商品陳列装置の全体斜視図である。
【図２】同じく、要部の拡大平面図である。
【図３】図２におけるIII−III線拡大縦断側面図である。
【図４】図２におけるＩＶ−ＩＶ線拡大縦断正面図である。
【図５】図３における棚板への補助棚板の取り付け要領を示す、図３と同様の部分の縦断側面図である。
【符号の説明】
【００４１】
１  横連結杆
２  支柱
３  ベース脚
４  ベース棚板
５  背面板
６  係合孔
７  ブラケット
８  フック
９  棚板
１０  補助棚板
１１  上面板
１２  前片
１３  上向き折り返し片
１４  側面板
１４ａ内向折曲片
１４ｂ前縁
１５  係合孔
１６  名札差し
１７  基片
１８  前向突出段部
１９  折り返し部
２０  傾斜片
２１  起立片
２２  係合溝
２３  上面板
２４  補強材
２５  側面板
２５ａ内向折曲片
２５ｂ後縁
２６  名札差し
２７  差し込み片
２８  係合部材
２８ａ取付片
２８ｂ垂下片
２８ｃ係合片
２９  延長片
３０  係合片
【図１】
0005180581.tif 000002
【図２】
0005180581.tif 000003
【図３】
0005180581.tif 000004
【図４】
0005180581.tif 000005
【図５】
0005180581.tif 000006